(57)【要約】      （修正有）【課題】簡単かつ容易に、しかも安価に多量生産しながら、重箱本体を横ずれしないように積層でき、さらに蓋体も重箱本体に横ずれしないように積層できる阿波和紙の重箱を提供する。【解決手段】重箱本体１は、板紙を四角形にしてなる底板３と、この底板３の周囲に固定されると共に、１枚の連続する板紙が四角形に折曲されてなる側板４とからなる。また、側板４は、外側に積層されてなる外側板紙と、この外側板紙の内側に積層して固定されてなる内側板紙とからなる。さらに外側板紙と内側板紙は上下幅が等しく、内側板紙が外側板紙から上方に位置するように固定されて、上端縁には内側を突出させてなる嵌着凸条６を、下端縁の内側には嵌着凸条６を案内する嵌着凹部を設けている。【選択図】図３
0003143611.tif 000002
【実用新案登録請求の範囲】
【請求項１】
上方を開口して底を閉塞している四角形の箱形とし、かつ多段に積層されてなる複数の重箱本体(1)と、上段の重箱本体の開口部(2)に脱着自在に連結されて、重箱本体の開口部を閉塞する蓋体(30)とからなる紙製の重箱であって、
重箱本体(1)は、板紙を四角形にしてなる底板(3)と、この底板(3)の周囲に固定されると共に、１枚の連続する板紙が四角形に折曲されてなる側板(4)とからなり、
側板(4)は、外側に積層されてなる外側板紙(15)と、この外側板紙(15)の内側に積層して固定されてなる内側板紙(5)とからなり、外側板紙(15)と内側板紙(5)は上下幅が等しく、内側板紙(5)が外側板紙(15)から上方に位置するように固定されて、上端縁には内側を突出させてなる嵌着凸条(6)を、下端縁の内側には嵌着凸条(6)を案内する嵌着凹部(7)を設けており、
さらに、蓋体(30)は、板紙を四角形にしてなる天板(31)の周囲に、板紙を四角形に折曲してなる周壁(32)を固定して、上方を閉塞して下方を開口しかつ、平面形状の外形を重箱本体(1)の外形に等しい四角形とする箱形としており、さらに、蓋体(30)の周壁(32)は一枚の板紙からなって、その内形を嵌着凸条(6)の外形として、外形を重箱本体(1)の外形としており、
複数の重箱本体(1)が、嵌着凹部(7)に嵌着凸条(6)を案内して、複数の重箱本体(1)が互いに脱着できるように積層され、さらに最上段の重箱本体(1)の嵌着凸条(6)の外側に蓋体(30)を脱着できるように連結して、開口部(2)を閉塞するようにしてなる阿波和紙の重箱。
【請求項２】
前記重箱本体(1)と蓋体(30)の表面に表面紙(8)を接着してなる請求項１に記載される阿波和紙の重箱。
【請求項３】
前記表面紙(8)が和紙である請求項１に記載される阿波和紙の重箱。
【請求項４】
前記表面紙(8)の和紙が天然染料によって染色されている請求項３に記載される阿波和紙の重箱。
【請求項５】
前記重箱本体(1)が３段に積層されてなる請求項１に記載される阿波和紙の重箱。
【考案の詳細な説明】
【技術分野】
【０００１】
本考案は、紙製の重箱に関し、とくに板紙を接着して製作してなる阿波和紙の重箱に関する。
【背景技術】
【０００２】
紙製の重箱は開発されている。（特許文献１参照）この重箱３００は、図１に示すように、３段に重箱本体３１０を積層して、最上段の重箱に上に蓋体３５０を重ねて、開口部３４０を閉塞している。この重箱３００は、一枚の板紙を四角形に折曲して周壁３２０とし、この周壁３２０の内側に底板３３０を固定して重箱本体３１０を製作している。
【特許文献１】特開２００５−３２００３２号公報
【考案の開示】
【考案が解決しようとする課題】
【０００３】
図１の重箱は、板紙の内側に折曲げ溝を設けて直角に折曲して四角形に加工し、これを底板３３０の周囲に固定して重箱本体３１０を能率よく製作できる。しかしながら、この構造の重箱３００は、重箱本体３１０を積層して横ずれする欠点がある。また、重箱本体３１０の上端開口部に載せられて開口部３４０を閉塞する蓋体３５０も横ずれする欠点がある。この欠点は、上端縁と下端縁を嵌合構造として解消できるが、底板の周囲に板紙の周壁を固定する構造では、上端縁と下端縁を嵌合構造とするのに極めて手間がかかる。また、嵌合構造にすると周壁３２０の内側に段差ができて、収納物が段差に付着しやすい欠点がある。さらに、厚い板紙を折曲げ加工して製作するので、製作に手間がかかる欠点もある。板紙を薄くすると周壁の強度が低下して用途が制限される欠点がある。
【０００４】
本発明は、このような欠点を解決することを目的に開発されたものである。本発明の重要な目的は、簡単かつ容易に、しかも安価に多量生産しながら、重箱本体を横ずれしないように積層でき、さらに蓋体も重箱本体に横ずれしないように積層できる阿波和紙の重箱を提供することにある。また、本発明の他の大切な目的は、周壁を厚くして強固な構造としながら、重箱本体を能率よく綺麗に製作できる阿波和紙の重箱を提供することにある。
【課題を解決するための手段及び考案の効果】
【０００５】
本考案の阿波和紙の重箱は、前述の目的を達成するために以下の構成を備える。すなわち本考案の一の阿波和紙の重箱は、上方を開口して底を閉塞している四角形の箱形とし、かつ多段に積層されてなる複数の重箱本体１と、上段の重箱本体の開口部２に脱着自在に連結されて、重箱本体の開口部を閉塞する蓋体３０とからなる紙製の阿波和紙の重箱である。
【０００６】
そして重箱本体１は、板紙を四角形にしてなる底板３と、この底板３の周囲に固定されると共に、１枚の連続する板紙が四角形に折曲されてなる側板４とからなる。また、側板４は、外側に積層されてなる外側板紙１５と、この外側板紙１５の内側に積層して固定されてなる内側板紙５とからなる。外側板紙１５と内側板紙５は上下幅が等しく、内側板紙５が外側板紙１５から上方に位置するように固定されて、上端縁には内側を突出させてなる嵌着凸条６を、下端縁の内側には嵌着凸条６を案内する嵌着凹部７を設けている。
【０００７】
さらに、蓋体３０は、板紙を四角形にしてなる天板３１の周囲に、板紙を四角形に折曲してなる周壁３２を固定して、上方を閉塞して下方を開口し、かつ平面形状の外形を重箱本体１の外形に等しい四角形とする箱形としいる。また、蓋体３０の周壁３２は一枚の板紙からなって、その内形を嵌着凸条６の外形として、外形を重箱本体１の外形としている。そして、複数の重箱本体１が、嵌着凹部７に嵌着凸条６を案内して、複数の重箱本体１が互いに脱着できるように積層され、さらに最上段の重箱本体１ａの嵌着凸条６の外側に蓋体３０を脱着できるように連結して、開口部２を閉塞するようにしてなる。
【０００８】
上記の構成を備えることで、重箱本体及び蓋体を横ずれしないように積層可能な重箱とできる。また周壁を厚くして強固な構造としながら、重箱本体を能率よく綺麗に製作できる。これは、特に、内側板紙が外側板紙より上方に位置するよう外側板紙と内側板紙とを積層して固定し、これを側板とすることで得られる独特の効果である。この構造により、側板の上端縁では、内側を上方に突出させて嵌着凸条とし、さらに下端縁の内側では嵌着凸条を案内する嵌着凹部として、容易に嵌着構造を設けることができる。すなわち、板紙を折曲げ加工することなく、２層の板紙をずらして固定するだけで、簡単に嵌着構造を得られる。さらに、内側板紙が外側板紙より上方に位置するため、箱の内側には段差が生じない。したがって箱内の収納物が段差に付着するのを回避できる。
【０００９】
また、本考案の他の阿波和紙の重箱は、重箱本体１と蓋体３０の表面に表面紙８を接着してなる。これにより、板紙とこれを被覆する表面紙とが同一の材質であるため双方の接着性を高められる。したがって重箱本体と蓋体の表面に表面紙を効率良く貼付することができる。また、質感や色彩、模様などに応じて表面紙を適宜選択することで、重箱の外観を自在に変化させることができ、箱の意匠性や汎用性を高められる。また外面の紙によって湿気や損傷などから箱本体を保護でき、重箱自体の耐性を向上できる。
【００１０】
また、本考案の他の阿波和紙の重箱は、表面紙８が和紙であることを特徴とする。
【００１１】
また、本考案の他の阿波和紙の重箱は、表面紙８の和紙が天然染料によって染色されていることを特徴とする。
【００１２】
また、本考案の他の阿波和紙の重箱は、重箱本体１が３段に積層されてなることを特徴とする。
【考案を実施するための最良の形態】
【００１３】
以下、本考案の実施例を図面に基づいて説明する。ただし、以下に示す実施例は、本考案の技術思想を具体化するための阿波和紙の重箱を例示するものであって、本考案は阿波和紙の重箱を以下のものに特定しない。さらに、この明細書は、実用新案登録請求の範囲を理解しやすいように、実施例に示される部材に対応する番号を、「実用新案登録請求の範囲」および「課題を解決するための手段及び考案の効果」の欄に示される部材に付記している。ただ、実用新案登録請求の範囲に示される部材を、実施例の部材に特定するものでは決してない。また、図において、同一の名称、符号については同一もしくは同質の部材を示しており、詳細説明を適宜省略する。なお、一部の実施例、実施形態において説明された内容は、他の実施例、実施形態等に利用可能なものもある。
【実施例１】
【００１４】
実施例１に係る阿波和紙の重箱（以下、単に「重箱」と記載することもある。）の斜視図を図２に、また阿波和紙の重箱１００の分解斜視図を図３及び図４にそれぞれ示す。実施例１の阿波和紙の重箱１００は、図２、図３に示すように、上方を開口して底を閉塞した四角形の箱形からなる重箱本体１と、重箱本体１の開口部２に脱着自在に連結されて、重箱本体１の開口部２を閉塞する蓋体３０とからなる。図２の例では、重箱本体１が多段に積層されており、そして最上段の重箱本体１における開口部２を蓋体３０が閉塞する姿勢に連結されている。つまり図２は、複数の重箱本体１及び蓋体３０を積層した状態であり、さらに、これらの重箱本体１及び蓋体３０をそれぞれ離間させた状態が図３である。また図４は、重箱本体１の開口部が下方になるよう図示されており、すなわち図３を上下逆にした方向から見た斜視図である。
【００１５】
重箱本体１は、図３及び図４に示すように、板紙を四角形にしてなる底板３と、この底板３の周囲に固定されると共に、１枚の連続する板紙が四角形に折曲されてなる側板４とからなる。また詳しくは後述するが、側板４は、外側に積層されてなる外側板紙１５と、この外側板紙１５の内側に積層して固定されてなる内側板紙５とから２層に構成される（図１９参照）。この外側板紙１５と内側板紙５は上下幅が等しい。そして内側板紙５が外側板紙１５より上方に位置するように固定されている。したがって、重箱本体１の上端縁には、内側を突出させてなる嵌着凸条６（図３参照）が設けられており、一方、重箱本体１の下端縁の内側には、嵌着凸条６を案内する嵌着凹部７（図４参照）が形成されている。
【００１６】
また、蓋体３０は、図２及び図３に示すように、板紙を四角形にしてなる天板３１の周囲に、板紙を四角形に折曲してなる周壁３２を固定して、上方を閉塞して下方を開口する。さらに蓋体３０は、平面形状の外形を重箱本体１の外形に等しい四角形とする箱形としいる。また図４に示すように、蓋体３０の周壁３２は一枚の板紙からなって、その内形を嵌着凸条６の外形として、外形を重箱本体１の外形としている。
【００１７】
つまり、図３及び図４に示すように重箱本体１は、嵌着凹部７に下段の嵌着凸条６を案内して、それぞれの重箱本体１が互いに脱着できるように積層される。さらに図３における最上段（図４における最下段）の重箱本体１の嵌着凸条６の外側に、蓋体３０を脱着できるよう連結して、重箱本体１の開口部２を閉塞する。また本明細書中における「最上段」とは、積層方向において最も高位置に配置される段を意味する。
【００１８】
ところで図２では、略同サイズの重箱本体１を３段に重ねて表現している。ただ、上記の嵌着構造を有していれば、重箱本体１の総数や内部の深さについては特に限定しない。いずれの重箱本体１も、その上端縁及び下端縁に、他の重箱本体と対応した嵌着構造を備える。つまり重箱本体１は他の重箱本体１の上段あるいは下段に脱着可能であり、したがって最上段に位置する重箱本体１を特定せず、重箱本体１の積層順を自在に変更できる。一方、蓋体３０においても、最上段の重箱本体１だけでなく、中段あるいは最下段の重箱本体１の嵌着凸条６を嵌着可能に構成されている。したがって、いずれの重箱本体１も最上段に配置可能であって、かつ、この重箱本体１は蓋体３０によって開閉可能に連結される。
【００１９】
（箱の材質）
また、阿波和紙の重箱１００は紙製とする。すなわち重箱の表面に被覆される、後述の表面紙８と同じ紙製であるため、双方の接着性が高まる。さらに紙は切断や折曲、組み立てなどの加工が容易であり、また箱全体を軽くできる。また比較的安価で、入手しやすく、大量生産可能でる。特に抄紙した紙を２層以上に結合させた板紙を重ねて使用することで、軽量であるにもかかわらず耐衝撃性に優れた頑丈な構造とでき好ましい。
【００２０】
すなわち板紙を利用することで、より箱の構造を頑丈としつつ、全体の重量を軽量にできる。したがって運搬が容易となる。特に内側と外側とに板紙を積層させることで、より一層構造を屈強にすることができる。また紙製であるため、裁断や折曲、接着などの加工が容易であり、したがって作業を簡便化でき生産性を高められる。また、不要の際には焼却せずに紙のリサイクルとして回収できるため、廃棄処理の負担が軽減し好ましい。
【００２１】
（表面紙）
また、実施例１の阿波和紙の重箱１００は、これを構成する重箱本体１及び蓋体３０の表面に、表面紙８を接着している。表面紙８は、植物の繊維を含有する和紙、あるいは植物繊維に限定されず化学繊維やフィルムなどの合成樹脂を主原料とする合成紙を利用できる。和紙は、長い繊維同士が緊密に絡み合っているため、折ったり引っ張ったりしても絡み合いが容易に解けず、繊維が抜けない。したがって薄くても丈夫であり、また耐久性に優れる。一方、合成紙であれば防湿性・耐候性などの特徴を享受できる。さらに紙の表面に樹脂、プラスチックフィルム、アルミ箔、あるいは別の紙材などの保護膜で被覆し、これを加熱、圧着してラミネート加工した加工紙を利用してもよい。これにより強度や耐性を一層向上させるなど種々の機能を付加した紙とできる。
【００２２】
実施例１の阿波和紙の重箱では和紙を使用した。具体的には、コウゾ・ミツマタ・ガンピなどの靱皮（じんぴ）繊維を主原料とし、木灰やソーダ灰などのアルカリ性で煮て、不純物を溶かし去る。さらに繊維をほぐし、これを抄紙して和紙を得た。和紙を利用することで、原料の植物の繊維のもつ自然な色彩や光沢などが十分に発揮され、箱の意匠性を高められる。また、和紙は薄くても丈夫な特質を有するため、箱の強度が高まり好ましい。
【００２３】
さらに、紙は顔料や染料によって有色としてもよい。実施例１の和紙では、植物・動物・鉱物から得た天然染料によって染色されており、具体的にはベニバナ、タイセイ(大青)、茜（あかね）、藍、コチニール、ロッグウッドなどを利用できる。天然染料による着色は独特の色彩と風合いを備えるため、和紙の質感と相俟って一層の意匠効果が高まる。また抄紙工程において、天然系の染料で植物の繊維を染色することで、精製された和紙における色落ちを回避できる。さらに合成染料の使用と比較して、染色工程での廃液による環境負荷を低減でき好ましい。また、和紙として阿波和紙を利用することで、阿波和紙の色、風合いを生かした重箱とでき好ましい。さらに藍や黄檗（きはだ）、千振を使って染めた阿波和紙を使用すれば、一層意匠性を高められる。以下に重箱の各部材について、製作方法と併せて詳しく説明する。
【００２４】
（重箱本体）
重箱本体１は、箱形の本体内側９と、さらにこの本体内側９における側面の外面側を覆う外側枠体１０とから構成れる。この本体内側９と外側枠体１０とを接着させることにより、２層の板紙が積層された側板４を得る。このような板紙の２層構造は次のようにして得られる。
【００２５】
まず内側板紙５により本体内側９を成形するため、図５に示すように、内側板紙５を矩形状に裁断する。また、本体内側９の内部を接着する表面紙８として、内側用表面紙８ａを四角形状に裁断する。そして、この内側板紙５と内側用表面紙８ａとを接着して合紙１１とする（図６）。この和紙付き合紙１１を、重箱本体１の展開図に相当するよう所定の形状に平版打ち抜き機（アローカット）で抜型する（図７）。そして図８に示すように、合紙１１を組み立てて、少なくとも一方向に開口した箱形とする。さらに箱形の形状を維持するようテープなどで仮止めして、本体内側９を得る。
【００２６】
この本体内側９の外面を表面紙８で被覆するため、図９に示すように、外側用表面紙８ｂを所定のサイズになるようポンスで抜く。外側用表面紙８ｂは本体内側９の展開形状を包含し、さらにこの外側用表面紙８ｂを本体内側９の外面に被覆した際に、開口部の端部において内側に折り返すことのできる大きさとする。この外側用表面紙８ｂを裁断した後、図１０に示すように、外側用表面紙８ｂの所定の位置に本体内側９を配置した状態で、にかわ、ボンドなどの接着材を介して外側用表面紙８ｂを本体内側９の外面に接着する。これにより図１１に示すように、内側板紙５で構成された本体内側９の外面を外側用表面紙８ｂが貼着する。詳しくは、外側用表面紙８ｂが、本体内側９の外面側から開口部２の周縁を介して箱の内側へと折り返され、さらに既に貼着されている内側用表面紙８ａ上の一部に積層して接着される。この結果、本体内側９の外側及び内側の表面のほぼ全てを表面紙で被覆することとなり、板紙の下地面が露出されない。特に、内側板紙５を組み立てる前に、予め内側板紙５と内側用表面紙８ａとを合紙１１とし、この合紙１１を組み立て本体内側９とする形態によって、表面紙の被覆による手間を極めて低減することができる。さらに、この本体内側９をローラに通過させるなどして、箱の底板に対して略直交方向に加圧することにより、箱の形状を調整でき好ましい。
【００２７】
一方、この本体内側９の側面に接する外側枠体１０は、以下のようにして製作される。まず図１２に示すように、板紙２５を四角形状に裁断する。さらに板紙２５を外側枠体１０の展開図に相当するよう所定の形状に平版打ち抜き機（アローカット）で抜型する（図１３）。そして図１４に示すように合紙１１を組み立てて、上下方向に開口した矩形状の枠体とする。さらに矩形状を維持するようテープなどで仮止めして、外側枠体１０を得る。
【００２８】
さらに、この外側枠体１０の外面を接着する表面紙８として、図１５に示すように、枠体用表面紙８ｃを所定のサイズになるようポンスで抜く。枠体用表面紙８ｃは外側枠体１０の展開形状を包含し、さらにこの枠体用表面紙８ｃを外側枠体１０の外面に被覆した際に、外側枠体１０の端縁において内側に折り返すことのできる大きさとする。この枠体用表面紙８ｃを裁断した後、図１６に示すように、枠体用表面紙８ｃの所定の位置に外側枠体１０を配置した状態で、にかわ、ボンドなどの接着材を介して枠体用表面紙８ｃを外側枠体１０の外面に接着し巻き貼りする。これにより図１７に示すように、枠体用表面紙８ｃが外側枠体１０の外面を貼着し、さらに外側枠体１０の周縁を介して内側へ折り返される形態とできる。
【００２９】
続いて、図１８に示すように、本体内側９の外面側と外側枠体１０の内面側とをにかわ、ボンドなどの接着材を介して固定させ、重箱本体１を得る。ところで、外側板紙１５と内側板紙５は上下幅が略等しい。したがって、同じく上下幅をほぼ等しくする内側本体９と外側枠体１０を重ねる際に、内側本体９が外側枠体１０よりも上方になるようずらして積層させる。この結果、図１９に示すように、外側に積層されてなる外側板紙１５と、この外側板紙１５の内側に積層して固定されてなる内側板紙５とからなる２層の側板４を得る。さらに内側板紙５が外側板紙１５から上方に位置するように固定されており、この結果、重箱本体１の上端縁には、内側を突出させてなる嵌着凸条６を、下端縁の内側には嵌着凸条６を案内する嵌着凹部７（図４参照）が形成される。言い換えると、図１９による上面からの平面視において、外側枠体１０の内側に本体内側９が包含されて接する。
【００３０】
上記の方法により製作された重箱本体１は、図３または図４に示すように、嵌着凹状７に、下段の重箱本体１の嵌着凸条６を案内して、複数の重箱本体１が互いに脱着できるように積み重ねられる。この嵌着構造について、図２０を用いてさらに詳しく説明する。図２０は図２のＸＸ−ＸＸ’線における断面図である。各重箱本体１は、その上端縁において、本体内側９と外側枠体１０との高低差により生じる段差１２を備える。そして、この段差１２に、上段の重箱本体１の底板３と外側枠体１０との直交領域が、かみ合う姿勢に連結される。
【００３１】
言い換えると、本体内側９の嵌着凸条６の外面は、上段の嵌着凹部７に案内されて、外側枠体１０の内面に接する。さらに外側枠体１０の上面１４ａは、上段に位置する外側枠体１０の底面１４ｂと当接して、上下段の外側枠体１０同士を連結する。すなわち、外側枠体１０の厚み同士を連結する構成であり、したがって重箱本体１の積層状態では、それぞれの外側枠体１０の側面２６が略同一の延長面上に位置する。したがって、嵌着凸条６の突出高さと嵌着凹部７の深さを略同一とすることが、連結状態における安定性の観点からは好ましい。ただ、少なくとも嵌着凸条６の突出高さよりも嵌着凹部７の深さが大きければ、外側枠体１０の内面が嵌着凸条６の外面に接して、かつ上下段の外側枠体１０同士を当接して連結できるため、重箱本体１の脱着機能に支障をきたさない。
【００３２】
また実施例１では板紙として山陽板紙７０．５Ｋを使用し、また表面紙８としては、阿波手漉き和紙（忌部紙）を用いた。さらに板紙と和紙との接着材としては、にかわを利用した。これにより、接着ムラを抑制しつつ、角などの極狭い領域であっても板紙の表面の隅々まで確実に和紙を被覆できるため好ましい。
【００３３】
（蓋体）
また、重箱本体１の開口部２に脱着自在に連結されて、この開口部２を閉塞する蓋体３０は、上記の重箱本体１と同質である板紙と表面紙８から構成されており、以下のようにして製作される。まず図２１に示すように、蓋用板紙１３を矩形状に裁断する。また表面紙８として、内側用表面紙８ａを四角形状に裁断する。そして蓋用板紙１３と内側用表面紙８ａとを接着して合紙１１とし、図２２の状態とする。この和紙付き合紙１１を、蓋体３０の展開図に相当するよう所定の形状にそれぞれ平版打ち抜き機（アローカット）で抜型する（図２３）。
【００３４】
続いて図２４に示すように、合紙１１を組み立てて箱形とする。この箱形の形状を維持するようテープなどで仮止めして蓋体３０を得る。さらに蓋体３０の外面に、外側用の表面紙８ｂを接着するため、まず図２５に示すように、外側用表面紙８ｂを所定のサイズにポンスで抜く。外側用表面紙８ｂは蓋体３０の展開形状に類似しているが、外側用表面紙８ｂを蓋体３０に被覆した際に、開口部の端部において内側に折り返すことのできる大きさとする。また図２５に示すように、この外側用表面紙８ｂにおいて、蓋体３０の側板に相当する貼着領域の角部を切り落とすことが好ましい。これにより蓋体３０に対する外側用表面紙８ｂの貼り加工が容易となる。
【００３５】
この外側用表面紙８ｂを裁断した後、図２６に示すように、外側用表面紙８ｂの所定の位置に蓋体３０を配置した状態で、にかわ、ボンドなどの接着材を介して外側用表面紙８ｂを蓋体３０に接着する。これにより図２７に示すように、蓋体３０の表面を外側用表面紙８ｂで貼着し、詳しくは蓋体３０の外面側から内側へと折り返し、さらに既に貼着されている内側用表面紙８ａ上の一部に積層して接着する。この結果、蓋体３０の外側及び内側からなる表面のほぼ全てを表面紙８で容易に被覆することができ、板紙の下地面が露出されない。また、この蓋体をローラに通過させるなどして、蓋体の天板３１に対して略直交方向に加圧することにより、蓋体３０の形状を調整できることは、重箱本体１と同様である。
【００３６】
上記のように製造された蓋体３０は、図３に示すように、板紙を四角形にしてなる天板３１の周囲に、板紙を四角形に折曲してなる周壁３２を固定してなる。また蓋体３０は、上方を閉塞して下方を開口しかつ、平面形状の外形を重箱本体１の外形に等しい四角形とする箱形としている（図２参照）。また蓋体３０の周壁３２は一枚の板紙からなる。さらに上述の通り、蓋体３０は重箱本体１に積み重ねることで、重箱本体１の開口部２を閉塞可能であり、これについて図２０を用いて詳しく説明する。
【００３７】
重箱の積層状態において、互いに上下段に位置する蓋体３０及び重箱本体１は、重箱本体１の上端縁で以下のようにして蓋体３０と連結される。すなわち重箱本体１は、本体内側９と外側枠体１０との高低差により段差１２を有する。この段差に、蓋体３０の周壁３２の下端が嵌着する。つまり蓋体３０は、その外形を重箱本体１の外形とし、さらに蓋体３０の内形は、重箱本体１の嵌着凸条６の外形と略一致する。
【００３８】
言い換えると、重箱本体１と蓋体３０との積層状態において、蓋体３０の周壁３２における内面は、重箱本体１の本体内側９の嵌着凸条６の外面に接する。さらに周壁３２の底面１４ｂは、下段の重箱本体１の外側枠体１０における上面１４ａと当接して、蓋体３０と重箱本体１とを連結する。すなわち、略同じ板厚を備える周壁３２と外側枠体１０との厚み同士が接することとなり、この結果、蓋体３０の周壁３２の外面が、重箱本体１の外側枠体１０の外面と略同一平面上に位置する。
【００３９】
また、実施例１の重箱本体１は、上記の通り、上下幅をほぼ等しくした本体内側９と外側枠体１０とを別個に製作した後、これらを上下にずらして積層させることで、２層の板紙から成る側板４を得る。この結果、重箱本体１の上端縁及び下端縁において、内側と外側の板紙の高低差による段差を容易に形成することができる。そしてこの段差を利用した嵌着構造とすることで、積層状態において横ずれしない重箱を迅速にかつ簡便に得られる。すなわち重箱本体１の周壁を厚くして強固な構造としながら、重箱を能率良くきれいに製作できる。
【００４０】
さらに、阿波和紙の重箱１００は、本体内側９、外側枠体１０、蓋体３０とを別々に製作し、これらを組み合わせることで得られる。つまり各部材を被覆する表面紙８を種々とすることで、部材の外観を色、模様、質感などにおいて多種多様とでき、さらにこれらを組み合わせることで、阿波和紙の重箱１００全体の外観によるバリエーションを増大させるとともに、美麗な装飾効果をもたらすことができる。
【産業上の利用可能性】
【００４１】
本考案の阿波和紙の重箱は、菓子箱、宝石箱、弁当箱、小物入れとして利用できる。
【図面の簡単な説明】
【００４２】
【図１】従来例に係る阿波和紙の重箱の斜視図でる。
【図２】実施例１に係る阿波和紙の重箱の斜視図である。
【図３】実施例１に係る阿波和紙の重箱の分解斜視図である。
【図４】実施例１に係る阿波和紙の重箱の分解斜視図である。
【図５】本体内側の製造方法を示す説明図である。
【図６】本体内側の製造方法を示す説明図である。
【図７】本体内側の製造方法を示す説明図である。
【図８】本体内側の製造方法を示す説明図である。
【図９】本体内側の製造方法を示す説明図である。
【図１０】本体内側の製造方法を示す説明図である。
【図１１】本体内側の製造方法を示す説明図である。
【図１２】外側枠体の製造方法を示す説明図である。
【図１３】外側枠体の製造方法を示す説明図である。
【図１４】外側枠体の製造方法を示す説明図である。
【図１５】外側枠体の製造方法を示す説明図である。
【図１６】外側枠体の製造方法を示す説明図である。
【図１７】外側枠体の製造方法を示す説明図である。
【図１８】重箱本体の製造方法を示す説明図である。
【図１９】重箱本体の製造方法を示す説明図である。
【図２０】図２のＸＸ−ＸＸ’線における断面図である。
【図２１】蓋体の製造方法を示す説明図である。
【図２２】蓋体の製造方法を示す説明図である。
【図２３】蓋体の製造方法を示す説明図である。
【図２４】蓋体の製造方法を示す説明図である。
【図２５】蓋体の製造方法を示す説明図である。
【図２６】蓋体の製造方法を示す説明図である。
【図２７】蓋体の製造方法を示す説明図である。
【符号の説明】
【００４３】
１…重箱本体
２…開口部
３…底板
４…側板
５…内側板紙
６…嵌着凸条
７…嵌着凹部
８…表面紙
８ａ…内側用表面紙
８ｂ…外側用表面紙
８ｃ…枠体用表面紙
９…本体内側
１０…外側枠体
１１…合紙
１２…段差
１３…蓋用板紙
１４ａ…上面
１４ｂ…底面
１５…外側板紙
２５…板紙
２６…側面
３０…蓋体
３１…天板
３２…周壁
１００…阿波和紙の重箱
３００…重箱
３１０…重箱本体
３２０…周壁
３３０…底板
３４０…開口部
３５０…蓋体
【図１】
0003143611.tif 000003
【図２】
0003143611.tif 000004
【図３】
0003143611.tif 000005
【図４】
0003143611.tif 000006
【図５】
0003143611.tif 000007
【図６】
0003143611.tif 000008
【図７】
0003143611.tif 000009
【図８】
0003143611.tif 000010
【図９】
0003143611.tif 000011
【図１０】
0003143611.tif 000012
【図１１】
0003143611.tif 000013
【図１２】
0003143611.tif 000014
【図１３】
0003143611.tif 000015
【図１４】
0003143611.tif 000016
【図１５】
0003143611.tif 000017
【図１６】
0003143611.tif 000018
【図１７】
0003143611.tif 000019
【図１８】
0003143611.tif 000020
【図１９】
0003143611.tif 000021
【図２０】
0003143611.tif 000022
【図２１】
0003143611.tif 000023
【図２２】
0003143611.tif 000024
【図２３】
0003143611.tif 000025
【図２４】
0003143611.tif 000026
【図２５】
0003143611.tif 000027
【図２６】
0003143611.tif 000028
【図２７】
0003143611.tif 000029